(57)【要約】【課題】  将来の仮想通貨の価格を統計解析で分析する仮想通貨の分析装置を提供する。【解決手段】  分析装置（１０）は、第１取引所（２０ａ）におけるオンライン取引のトランザクションイベントを所定時間ごとにダウンロードするトランザクションダウンロード部（１０１）と、第１取引所と第２取引所とにおけるビット及びアスク、並びにビット及びアスクの数量を所定時間ごとにダウンロードするビット・アスクダウンロード部（１０２）とを有している。さらに分析装置は、トランザクションイベント、ビット及びアスク並びに数量に基づいて、第１取引所におけるトランザクションイベントに至らない見せかけのビット及びアスク並びに数量を削除する見せかけビット・アスク削除部（１０４）と、見せかけのビット及びアスクが削除された第１取引所のビット及びアスクを統計解析し、将来の第１取引所の仮想通貨の価格を分析する分析部（１０５）と、を備える。【選択図】図１
2019023783.tif 000002
【特許請求の範囲】
【請求項１】
オンライン取引で使用される仮想通貨の将来価格を分析する分析装置であって、
第１取引所における前記オンライン取引のトランザクションイベントを所定時間ごとにダウンロードするトランザクションダウンロード部と、
前記第１取引所と前記第２取引所とにおけるビット及びアスク、並びに前記ビット及び前記アスクの数量を前記所定時間ごとにダウンロードするビット・アスクダウンロード部と、
前記所定時間ごとにダウンロードした前記トランザクションイベント、前記ビット及び前記アスク並びに前記数量に基づいて、前記第１取引所における前記トランザクションイベントに至らない見せかけのビット及びアスク並びに前記数量を削除する見せかけビット・アスク削除部と、
前記見せかけのビット及びアスクが削除された前記第１取引所の前記ビット、前記アスク及び前記数量を統計解析し、前記第１取引所の仮想通貨の将来の価格を分析する分析部と、
を備える仮想通貨の分析装置。
【請求項２】
前記トランザクションダウンロード部は前記第１取引所とは異なる第２取引所とにおける前記オンライン取引のトランザクションイベントを所定時間ごとにダウンロードし、
前記ビット・アスクダウンロード部は、前記第２取引所におけるビット及びアスク、並びに前記ビット及び前記アスクの数量を前記所定時間ごとにダウンロードし、
前記見せかけビット・アスク削除部は、前記第２取引所における前記トランザクションイベントに至らない見せかけのビット及びアスク並びに前記数量を削除し、
前記分析部は、前記見せかけのビット及びアスクが削除された前記第１取引所の前記ビット、前記アスク及び前記数量、並びに前記見せかけのビット及びアスクが削除された前記第２取引所の前記ビット、前記アスク及び前記数量を統計解析し、前記第２取引所の将来の仮想通貨の価格を分析する請求項１に記載の仮想通貨の分析装置。
【請求項３】
前記第１取引所では、前記ビット及び前記アスクが第１国通貨で取引され、
前記第２取引所では、前記ビット及び前記アスクが前記第１国とは異なる第２国通貨で取引され、
前記分析装置は、前記所定時間ごとに前記第１国通貨と前記第２国通貨との為替データをダウンロードする為替ダウンロード部を備え、
前記分析部は、前記第１取引所の前記ビット及び前記アスクと前記第２取引所の前記ビット及び前記アスクとを統計解析する際に、前記為替データを使う請求項１又は請求項２に記載の仮想通貨の分析装置。
【請求項４】
前記分析部は、統計解析として重回帰分析を行う請求項１から請求項３のいずれか一項に記載の仮想通貨の分析装置。
【請求項５】
オンライン取引で使用される仮想通貨の将来価格を分析する分析方法であって、
第１取引所と該第１取引所とは異なる第２取引所とにおける前記オンライン取引のトランザクションイベントを所定時間ごとにダウンロードする工程と、
前記第１取引所と前記第２取引所とにおけるビット及びアスク、並びに前記ビット及び前記アスクの数量を前記所定時間ごとにダウンロードする工程と、
前記所定時間ごとにダウンロードした前記トランザクションイベント、前記ビット及び前記アスク並びに前記数量に基づいて、前記第１取引所と前記第２取引所とにおける前記トランザクションイベントに至らない見せかけのビット及びアスク並びに前記数量を削除する工程と、
前記見せかけのビット及びアスクが削除された前記第１取引所の前記ビット及び前記アスクを統計解析し、将来の前記第１取引所の仮想通貨の価格を分析する工程と、
を備える仮想通貨の分析方法。
【発明の詳細な説明】
【技術分野】
【０００１】
本発明は、仮想通貨の分析装置及びその分析方法に関する。特に仮想通貨の将来の価格の予想を行う分析装置及び方法に関する。
【背景技術】
【０００２】
近年、円やドルといった現実の貨幣による物品の取引だけでなく、電子マネー等の例えばビットコインと呼ばれる仮想通貨を用いた商取引が行われている。
ビットコインによる取引では、ハッシュ関数と公開鍵暗号方式とを用いて、取引データの完全性が担保されている。暗号化を用いて行われた取引（以下、ビットコイン（登録商標）の取引を「トランザクション」とも呼ぶ。）は、ビットコイン（登録商標）を利用する全端末に対してブロードキャストで配信される。配信されたトランザクションは、マイナー（発掘者）と呼ばれる端末ソフトウェアによって正当性が検証され、発掘されたブロックにまとめられる。これらは、ブロックチェーンと呼ばれる台帳に記録され、それが他のマイナーたちにより追認されることで承認される。
【０００３】
ビットコインなどの仮想通貨は、いわゆるＰ２Ｐ（Peer to Peer）の決済装置であり、国の金融機関による影響を受けず、いわゆる需要（ビット（bit））と供給（アスク（ask））との関係で、その国の通貨と仮想通貨との価格が決まっている。例えば日本円（JPY）とビットコイン（登録商標）（BTC又はSatoshi）との価格が決まっている。
例えば、特許文献１に開示される発明は、トランザクションの動向を特定するために、取引情報の一貫性および整合性を確実なものとすることができる。
【先行技術文献】
【特許文献】
【０００４】
【特許文献１】特開２０１６−１５１８０２号公報
【発明の開示】
【発明が解決しようとする課題】
【０００５】
特許文献１に開示されている技術では、仮想通貨の予想については一切考慮されない。
【課題を解決するための手段】
【０００６】
そこで本発明は、複数の取引所でのトランザクション及びアスク及びビットの指値に基づいて、将来の仮想通貨の価格を統計解析で分析する仮想通貨の分析装置及び方法を提供することを目的とする。
【０００７】
本実施形態は、オンライン取引で使用される仮想通貨の将来価格を分析する分析装置である。その分析装置は、第１取引所におけるオンライン取引のトランザクションイベントを所定時間ごとにダウンロードするトランザクションダウンロード部と、第１取引所におけるビット及びアスク、並びにビット及びアスクの数量を所定時間ごとにダウンロードするビット・アスクダウンロード部とを有している。さらに分析装置は、トランザクションイベント、ビット及びアスク並びに数量に基づいて、第１取引所におけるトランザクションイベントに至らない見せかけのビット及びアスク並びに数量を削除する見せかけビット・アスク削除部と、見せかけのビット及びアスクが削除された第１取引所のビット、アスク及びそれら数量を統計解析し、将来の第１取引所の仮想通貨の価格を分析する分析部と、を備える。
【０００８】
別の実施形態では、トランザクションダウンロード部は第１取引所とは異なる第２取引所とにおけるオンライン取引のトランザクションイベントを所定時間ごとにダウンロードし、ビット・アスクダウンロード部は、第２取引所におけるビット及びアスク、並びにビット及びアスクの数量を所定時間ごとにダウンロードする。また見せかけビット・アスク削除部は、第２取引所におけるトランザクションイベントに至らない見せかけのビット及びアスク並びに数量を削除する。そして、分析部は見せかけのビット、アスク及びそれら数量が削除された第１取引所のビット、アスク及びそれら数量並びに第２取引所のビット、アスク及びそれら数量を統計解析する。
【０００９】
第１取引所では、ビット及びアスクが第１国通貨で取引され、第２取引所では、ビット及びアスクが第１国とは異なる第２国通貨で取引される。このような場合の分析装置は、所定時間ごとに第１国通貨と第２国通貨との為替データをダウンロードする為替ダウンロード部を備える。そして分析部は、第１取引所のビット及びアスクと第２取引所のビット及びアスクとを統計解析する際に、為替データを使う。
また分析部は、統計解析としてニューラルネットワーク法等の重回帰分析を行う。
【発明の効果】
【００１０】
本実施形態の仮想通貨の分析装置及び方法は、将来の仮想通貨の価格を分析することができる。
【図面の簡単な説明】
【００１１】
【図１】仮想通貨の分析装置１０の概略の構成を示すブロック図である。
【図２】（Ａ１）及び（Ｂ１）は、トランザクションデータの一例であり、（Ａ２）及び（Ｂ２）はビット・アスクデータの一例である。（Ａ３）は見かけのビット・アスクデータを除いた正味のビット・アスクデータである。
【図３】仮想通貨の将来の取引価格を分析した、ニューラルネットワーク法の概念を示したグラフである。
【図４】仮想通貨の分析装置１０に関する処理のフローチャートである。
【図５】（Ａ）及び（Ｂ）は、ユーザが保持する携帯端末に表示される例である。
【発明を実施するための最良の形態】
【００１２】
以下、添付図面を参照して、仮想通貨の分析装置の好適な実施形態について説明する。ただし、以下に説明する実施形態は、あくまでも例示であり、以下に明示しない種々の変形や技術の適用を排除する意図はない。
【００１３】
＜装置構成の概要＞
図１は、仮想通貨の分析装置１０の構成の一例を示している。分析装置１０は、サーバもしくはコンピュータである。図１に示すように、仮想通貨の分析装置１０は、複数の仮想通貨の取引所２０（２０ａ〜２０ｄ）とインターネット又は専用線等のネットワークを介してつながっている。仮想通貨の取引所２０ａは例えば日本円と仮想通貨との取引所であり、仮想通貨の取引所２０ｂは別の日本円と仮想通貨との取引所である。また仮想通貨の取引所２０ｃは米国ドルと仮想通貨との取引所であり、仮想通貨の取引所２０ｄは中国元と仮想通貨との取引所である。図１では、ユーザはパソコン又はスマートフォン等のクライアント端末３０を使って、ユーザが取引所２０ａで仮想通貨を取引したり、取引所２０ｃで仮想通貨を取引したりする。各取引所２０ａ〜２０ｄの端末は、インターネットや専用線等のネットワークに接続されたコンピュータである。
【００１４】
本実施形態において、仮想通貨の分析装置１０は、Ｐ２Ｐ型のコンピュータとして説明するが、これに限定されるものではない。例えば、仮想通貨の分析装置１０は、クラウドコンピューティング形式の装置として構成されてもよい。この場合、ユーザは、仮想通貨装置１０のコンピュータ処理をネットワーク経由でサービスとして利用する。また、仮想通貨の分析装置１０は、ＡＳＰ（Ａｐｐｌｉｃａｔｉｏｎ  Ｓｅｒｖｉｃｅ  Ｐｒｏｖｉｄｅｒ）のサーバを含む装置として構成されてもよい。
【００１５】
仮想通貨の分析装置１０は、トランザクションダウンロード部１０１、ビット・アスクダウンロード部１０２、為替ダウンロード部１０３、見せかけビット・アスク削除部１０４、及び分析部１０５を有している。また、仮想通貨の分析装置１０の記憶部１２は、トランザクションデータ１２２を記憶し、ビット・アスクデータ１２４を記憶し、為替データ１２６を記憶する。なお、仮想通貨の分析装置１０は、ＣＰＵ等のプロセッサ及びＳＳＤ(Solid State Drive)とＨＤＤ( Hard Disk Drive)などの記憶装置とを有していており、トランザクションダウンロード部１０１や記憶部１２などを構成する。
【００１６】
トランザクションダウンロード部１０１は、各取引所２０ａ〜２０ｄが公表しているトランザクションデータ１２２を記憶部１２にダウンロードする。仮想通貨におけるトランザクションデータ１２２は、実際に取引がされた仮想通貨の価格及びその数量である。仮想通貨は２４時間中刻々と取引されているため、取引がされた取引時間もトランザクションデータ１２２に含まれる。またトランザクションダウンロード部１０１は、このトランザクションデータ１２２のダウンロードを、所定時間ごと例えば１秒毎に行う。例えば、図２（Ａ１）に示される表の内容は、取引所２０ａにおけるトランザクションデータ１２２である。図２（Ａ１）には左列に取引時刻が、中列に価格が、右列に数量が記載されている。ここでは９時４０分２秒から３秒にかけての取引が記載されており、取引が行われるごとに古い取引が一行ずつ繰り下がっていく。なお、仮想通貨の価格とは、ＡＢＣという仮想通貨１単位に対する日本円の金額であり、図２の表では、ＡＢＣ／ＪＰＹとして表示されている。
【００１７】
ビット・アスクダウンロード部１０２は、各取引所２０ａ〜２０ｄが公表しているビット・アスクデータ１２４を記憶部１２にダウンロードする。実際のビット（買い値）とアスク（売り値）とが一致すれば取引が成立するが、ビット・アスクデータ１２４はある時点における未だ成立していない指値である。例えば、図２（Ａ２）に示される表の内容が取引所２０ａにおけるビット・アスクデータ１２４である。図２（Ａ２）には左列にアスクの数量が、中列に価格が、右列にビットの数量が記載されている。ここでは９時４０分３秒の時点における、ビット・アスク及びそれら数量である。時間の経過とともに取引が成立すればそのビット・アスクが消えていくとともに、ビット又はアスクの注文が取り消したりすればそのビット又はアスクが消えていく。また時間の経過とともにビット又はアスクの注文があればそのビット又はアスクが加えられる。仮想通貨のビットとアスクとは２４時間中刻々と取引されているため、ビット・アスクダウンロード部１０２は、このビット・アスクデータ１２４のダウンロードを、所定時間ごと例えば１秒毎に行う。
【００１８】
為替ダウンロード部１０３は、米国ドルと日本円との為替レートのデータ１２６をダウンロードしたり、中国元と日本円との為替レートのデータ１２６を記憶部１２にダウンロードしたりする。為替ダウンロード部１０３は各取引所２０ａから２０ｄで表示されている為替レートのデータをダウンロードしたり、為替レートが取引所で表示されていなければ、銀行又は証券会社が表示している為替レートのデータ１２６をダウンロードしたりする。仮想通貨の取引と同様に、為替ダウンロード部１０３は、この為替レートのデータ１２６のダウンロードを、所定時間ごと例えば１秒毎に行う。なお、複数の仮想通貨の取引所が一カ国のみであれば、為替ダウンロード部１０３は無くてもよい。
【００１９】
見せかけビット・アスク削除部１０４は、見せかけ（つまりダミー）のビット又はアスクの注文を、ビット・アスクデータ１２４から削除する。逐次、ビット又はアスクの注文や注文取消しがあるが、取引成立する直前に、かなりの数量の注文が取り消されることがある。これは、仮想通貨の取引者が意図的に仮想通貨の価格を動かそうとしての注文と考えられる。そのため、このような見せかけ（つまりダミー）のビット又はアスクの注文を、ビット・アスクデータ１２４から削除する。
【００２０】
例えば図２（Ｂ１）及び（Ｂ２）は、取引所２０ａにおける図２（Ａ１）及び（Ａ２）で示された表の２秒後のトランザクションデータ１２２及びビット・アスクデータ１２４である。取引が成立していく中で、例えば価格１４８，１２１円の数量ＤＡが、（Ａ２）では０．９６２であったものが、（Ｂ２）では１．９０２になっている。つまり、その価格での注文が２秒間で０．９４増えたことを示している。また、価格１４８，１１８円の数量ＤＢが、（Ａ２）では５．７７０４であったものが、（Ｂ２）では１．２７０４になっている。つまり、その価格での注文が２秒間で４．５減ったことを示している。また、価格１４８，１１０円の数量ＤＣが、（Ａ２）では０．３１で、（Ｂ２）でも０．３１になっている。つまり、その価格での注文が２秒間で増減なしであったことを示している。
【００２１】
価格１４８，１１８円の注文数量ＤＢは、取引成立に近づくと注文が取り消されている。このような場合に、見せかけビット・アスク削除部１０４は、この価格１４８，１１８円の注文数量４．５が見せかけのビット又はアスクの注文として判断し、ビット・アスクデータ１２４から削除する。より具体的に説明すると、記憶部１２には、〇月△日９時４０分３秒のビット・アスクデータ１２４（図２（Ａ２））が記憶されている。見せかけビット・アスク削除部１０４は、記憶された〇月△日９時４０分３秒のビット・アスクデータ１２４から価格１４８，１１８円の注文数量４．５を削除する。そして〇月△日９時４０分３秒のビット・アスクデータ１２４が記憶部１２に正味のデータとして更新される。この更新された〇月△日９時４０分３秒のビット・アスクデータ１２４が図２（Ａ３）に示されたようなデータである。
【００２２】
見せかけ（つまりダミー）のビット又はアスクの注文は、上述した以外にも、取引価格から一定額高い（又は低い）価格を一定数量例えば２．０を注文したりその注文を取り消したり、取引価格からかなり離れた注文を入れ、一定時間例えば５分間経つと注文を取り消すなどがある。これらの見せかけ注文は、コンピュータ等を使って自動注文と自動注文取りしけを入れているものであり、正味の注文ではない。見せかけビット・アスク削除部１０４は、見せかけのビット又はアスクの注文を、すでに記憶している過去のビット・アスクデータ１２４から削除する。
【００２３】
図１に戻り、分析部１０５は、取引所２０ａから取引所２０ｄの将来の仮想通貨の価格を統計処理で分析する。より具体的には、分析部１０５は、まず取引所２０のトランザクションデータ１２２及びビット・アスクデータ１２４に基づいて重回帰分析を行い、将来の仮想通貨の価格を分析する。ビット・アスクデータ１２４は、見せかけのビット又はアスクを除いたデータであり、数量も含んでいる。分析部１０５は、重回帰分析を行う手法の1つであるニューラルネット法を利用して、将来の仮想通貨の価格を分析する。
【００２４】
図３は、ニューラルネットワーク法を利用して、将来の仮想通貨の価格を分析する概念グラフである。グラフは、縦軸に仮想通貨の価格（ＡＢＣ／ＪＰＹ）、横軸に時間を採っており、価格は０．００２単位ごと、時間は２秒毎で描かれている。このグラフは、取引所２０ａの例であり、０９時４０分５０秒から０９時４１分０６秒までのトランザクションデータ１２２及びビット・アスクデータ１２４が描かれている。
【００２５】
図３のグラフの黒丸３０１は、トランザクションデータ１２２に基づく、時間ごとの実際の仮想通貨の価格であり、黒丸３０１の大きさ（直径）は数量を示したものではない。黒丸３０１の下側に配置された濃いグレーの丸印３０２は、ビット・アスクデータ１２４に基づく時間ごとのビット（買い値）の仮想通貨の価格であり、濃いグレーの丸印３０２の大きさ（直径）は、その数量を示したものである。黒丸３０１の上側に配置された薄いグレーの丸印３０３は、ビット・アスクデータ１２４に基づく時間ごとのアスク（売り値）の仮想通貨の価格であり、薄いグレーの丸印３０３の大きさ（直径）は、その数量を示したものである。このビット・アスクデータ１２４は見せかけのビット又はアスクを除いたデータである。
【００２６】
分析部１０５が、ビット（濃いグレーの丸印３０２）の価格及びそれら数量、アスク（薄いグレーの丸印３０３）の価格及びそれら数量、並びに黒丸３０１の実際の仮想通貨の価格を、ニューラルネットワーク法のデータとして与え、回帰式３１０を作成する。その作成した回帰式３１０は、過去の仮想通貨の価格の実線３１１及び将来の仮想通貨の価格の点線３１２として、表わされる。分析部１０５は回帰式３１０を求めることができたため、例えば６秒後の仮想通貨の価格を分析できる。図３では６秒後の仮想通貨の価格が白丸３０８として表示されており、０９時４１分１２秒の仮想通貨の価格が、１４８．２６４（ＡＢＣ／ＪＰＹ）として分析されている。図３では示されないが、分析部１０５は、回帰式３１０に６０秒後とか３６００秒後を入れることで、６０秒後とか３６００秒後の価格を分析できる。
【００２７】
分析部１０５が、取引所２０ａから取引所２０ｄの将来の仮想通貨の価格をそれぞれ重回帰分析すると、取引所２０ａの価格と別の取引所２０ｂ（２０ｃもしくは２０ｄ）の価格とが違うことがある。取引所２０ａでは分析部１０５の結果により、０９時４１分１２秒の仮想通貨の価格が例えば１４８．２６４（ＡＢＣ／ＪＰＹ）として分析される。別の取引所２０ｂでは分析部１０５の結果により、０９時４１分１２秒の仮想通貨の価格が例えば１４８．２８４（ＡＢＣ／ＪＰＹ）として分析される。注文者が異なり注文数が異なるからである。また為替レートが変動することも起因する。
【００２８】
また、分析部１０５は、取引所２０ａのビット、アスク及びそれらの数量、並びに取引所２０ｂのビット、アスク及びそれら数量に基づいて、取引所２０ａの将来の仮想通貨の価格を重回帰分析することもできる。さらに分析部１０５は、別の取引所２０ｃ、取引所２０ｄ等のビット、アスク及びそれらの数量を利用して重回帰分析することもできる。取引所２０ａの将来の仮想通貨の価格が、他の取引所２０ｂ，２０ｃ，２０ｄの価格に影響を受ける可能性が大と判断すれば、別の取引所のビット、アスク及びそれらの数量も重回帰分析して、取引所２０ａの将来の仮想通貨の価格を分析する。
【００２９】
なお、分析部１０５が、取引所２０ａのビット及びアスクと、仮想通貨と米国ドルとの取引所２０ｃのビット及びアスクと又は仮想通貨と中国元との取引所２０ｄのビット及びアスクとに基づいて、取引所２０ａの将来の価格を予想する場合には、記憶部１２に記憶された為替レートのデータ１２６を使って、為替レートを考慮する。
【００３０】
＜装置の動作の概要＞
図４は、仮想通貨の分析装置１０による仮想通貨の価格の分析のフローチャートである。
ステップＳ４０１において、分析装置１０のトランザクションダウンロード部１０１は、所定時間ごとに、各取引所２０ａ〜２０ｎが公表しているトランザクションデータ１２２を記憶部１２にダウンロードする。仮想通貨におけるトランザクションデータ１２２は、日時とともに仮想通貨の価格及びその数量を含む。
【００３１】
ステップＳ４０２において、ビット・アスクダウンロード部１０２は、所定時間ごとに、各取引所２０ａ〜２０ｎが公表しているビット・アスクデータ１２４を記憶部１２にダウンロードする。ビット・アスクデータ１２４は、日時とともにビット・アスク及びそれらの数量を含む。
【００３２】
ステップＳ４０３において、為替ダウンロード部１０３は、米国ドルと日本円との為替レートのデータ１２６をダウンロードしたり、中国元と日本円との為替レートのデータ１２６を記憶部１２にダウンロードしたりする。
【００３３】
ステップＳ４０４において、見せかけビット・アスク削除部１０４は、各取引所の見せかけ（ダミー）注文を削除する。見せかけビット・アスク削除部１０４は、ビット・アスクデータ１２４をダウンロードしてから一定時間経過すると、記憶部１２に記憶された異なる時間のビット・アスクデータ１２４を比較する。そして、見せかけビット・アスク削除部１０４は、トランザクションデータ１２２から所定範囲内の仮想通貨の価格になった際に削除される仮想通貨の価格及びそれら数量を検出する。そのような見せかけのビット・アスクの注文を検出すると、過去のビット・アスクデータ１２４から見せかけのビット・アスクの注文を削除する。
【００３４】
ステップＳ４０５において、ユーザはパソコン又はスマートフォン等のクライアント端末３０を使って、ネットワークを介して、仮想通貨の分析装置１０にアクセスする。そして、携帯端末３０のディスプレイ３９に表示された画面で、将来の時間を入力する。
【００３５】
図５（Ａ）は、携帯端末３０のディスプレイ３９に表示された、将来の時間を入力する画面の一例である。図５（Ａ）に示された画面は、すでにユーザが取引所２０ｂを選択した後の画面である。このディスプレイ３９の上段には１単位の仮想通貨ＡＢＣの価格が表示される（３１）。例えば１秒毎にその価格は変動している。その下に、何分何秒後の仮想通貨ＡＢＣの価格を予想するのか（３２）、又は何時何分何秒の仮想通貨ＡＢＣの価格を予想するのか（３３）、選択できるようになっている。例えばユーザは、何時何分何秒の仮想通貨ＡＢＣの価格を予想したいならその領域をクリックすると、色が反転したりボックスにマークが入ったりする。そしてドロップダウンメニューやディスプレイ３９に表示されるキーボードを使って、ユーザは時間を入力する。そして入力をし終えたら、ユーザが完了ボタン３４をクリックする。
【００３６】
ステップＳ４０６Ａにおいて、分析部１０５は、取引所２０ｂの将来の仮想通貨の価格を統計処理で分析する。より具体的には、分析部１０５は、取引所２０ｂのトランザクションデータ１２２、並びに取引所２０ｂのビット・アスクデータ１２４及びそれらの数量に基づいて重回帰分析を行い、指定された時間の仮想通貨の価格を分析する。図５（Ｂ）は、指定された時間の取引所２０ｂの仮想通貨の価格を表示した一例である。
【００３７】
ステップＳ４０６Ａに変えてステップＳ４０６Ｂに進むことも可能である。ステップＳ４０６Ｂにおいて、分析部１０５は、取引所２０ｂのトランザクションデータ１２２並び取引所２０ａ，２０ｂ…２０ｎのビット・アスクデータ１２４及びそれらの数量に基づいて重回帰分析を行い、指定された時間の仮想通貨の価格を分析する。ステップＳ４０６Ａ又はステップＳ４０６Ｂのいずれを採用しても良いので、図４のフローチャートにおいてステップＳ４０６Ｂが点線で描かれている。
【００３８】
ステップＳ４０６Ｂにおいて、取引所２０ｃが米ドルと仮想通貨を扱い、取引所２０ｄが中国元と仮想通貨を扱っている場合には、為替レートのデータ１２６を使って、求めたい日本円を扱う取引所２０ｂの価格を予想する。
【符号の説明】
【００３９】
１０  …  分析装置
１２  …  記憶部
２０  …  取引所
３０  …  携帯端末
３４  …  完了ボタン
３９  …  ディスプレイ
１０１  …  トランザクションダウンロード部
１０２  …  ビット・アスクダウンロード部
１０３  …  為替ダウンロード部
１０４  …  見せかけビット・アスク削除部
１０５  …  分析部
１２２  …  トランザクションデータ
１２４  …  ビット・アスクデータ
１２６  …  データ
【図１】
2019023783.tif 000003
【図２】
2019023783.tif 000004
【図３】
2019023783.tif 000005
【図４】
2019023783.tif 000006
【図５】
2019023783.tif 000007